(57)【要約】  【課題】    コンパクトで組付性に優れ、更にシールド効果を発揮できる撮像装置を提供する。  【解決手段】  シールド部材１０が、ケース１に取り付けられたとき、ケース１に対して回路基板５を固定するための第１切片１２ｂと、回路基板５のグランド５ｂに接地する第２切片１２ｃとを有するので、ねじや半田などを用いることなく、シールド部材１０をケース１に取り付けるのみで、ケース１に対して回路基板５を固定することができ、且つ回路基板５のグランド５ｂへの接地が可能となる。従って、コンパクトで組付性に優れる撮像装置が提供される。【選択図】    図２
2006101312.tif 000002
【特許請求の範囲】
【請求項１】
レンズと固体撮像素子とを備えた撮像装置において、
ケースと、
前記ケースに取り付けられる回路基板と、
前記ケースを覆うシールド部材と、を有し、
前記シールド部材は、前記ケースに取り付けられたとき、前記ケースに対して前記回路基板を固定するための第１切片と、前記回路基板のグランドに接地する第２切片とを有することを特徴とする撮像装置。
【請求項２】
前記シールド部材と前記ケースの一方は凸部を有し、その他方は凹部を有し、前記凸部と前記凹部とを係合することによって、前記シールド部材は前記ケースに取り付けられることを特徴とする請求項１に記載の撮像装置。
【請求項３】
前記シールド部材は、板材をプレスして形成されていることを特徴とする請求項１又は２に記載の撮像装置。
【請求項４】
前記回路基板はコネクタを有し、前記コネクタには、シールドケーブルのグランドに接地する端子が設けられていることを特徴とする請求項１〜３のいずれかに記載の撮像装置。
【発明の詳細な説明】
【技術分野】
【０００１】
本発明は、例えば携帯端末などに組み込み可能な小型の撮像装置に関する。
【背景技術】
【０００２】
近年、撮像機能を備えた携帯電話等の携帯端末が広く普及しつつある。例えば特許文献１には、撮影レンズと、ＣＣＤ（Ｃｈａｒｇｅ―Ｃｏｕｐｌｅｄ Ｄｅｖｉｃｅ）等の固体撮像素子とを有するカメラ付き携帯電話が開示されている。かかるカメラ付き携帯電話には、ノイズ防止のため電磁シールド枠体が配置されている。
【特許文献１】特開２００１−３２０６２２号公報
【発明の開示】
【発明が解決しようとする課題】
【０００３】
ここで、携帯端末に用いるような撮像装置は、小型化が要求されるため、部品の組み付けにねじなどを用いることが困難という問題がある。これに対し、特許文献１の従来技術において、電磁シールド枠体には爪部が形成され、これを回路基板の凹部に係合させることで、電磁シールド枠体を回路基板に取り付けることができるようになっている。ところが、特許文献１には、レンズを保持するケースを回路基板にどのようにして取り付けるか、或いは電磁シールド枠体と回路基板のグランドとの接続をどのようにして行うかの開示がない。
【０００４】
本発明は、これらの課題に鑑みてなされたものであり、コンパクトで組付性に優れ、更にシールド効果を発揮できる撮像装置を提供することを目的とする。
【課題を解決するための手段】
【０００５】
本発明の撮像装置は、
レンズと固体撮像素子とを備えた撮像装置において、
ケースと、
前記ケースに取り付けられる回路基板と、
前記ケースを覆うシールド部材と、を有し、
前記シールド部材は、前記ケースに取り付けられたとき、前記ケースに対して前記回路基板を固定するための第１切片と、前記回路基板のグランドに接地する第２切片とを有することを特徴とする。
【発明の効果】
【０００６】
本発明の撮像装置によれば、前記シールド部材が、前記ケースに取り付けられたとき、前記ケースに対して前記回路基板を固定するための第１切片と、前記回路基板のグランドに接地する第２切片とを有するので、ねじや半田などを用いることなく、前記シールド部材を前記ケースに取り付けるのみで、前記ケースに対して前記回路基板を固定することができ、且つ前記回路基板のグランドへの接地が可能となる。従って、コンパクトで組付性に優れる撮像装置が提供される。尚、前記第１切片と前記第２切片とを同一部材とすることもできる。
【０００７】
更に、前記シールド部材と前記ケースの一方は凸部を有し、その他方は凹部を有し、前記凸部と前記凹部とを係合することによって、前記シールド部材は前記ケースに取り付けられると、ねじなどが不要となり且つ組付性が向上する。
【０００８】
更に、前記シールド部材は、板材をプレスして形成されていると、前記切片をプレス成形できるので製造が容易であるため好ましい。
【０００９】
更に、前記回路基板はコネクタを有し、前記コネクタには、シールドケーブルのグランドに接地する端子が設けられていると好ましい。
【発明を実施するための最良の形態】
【００１０】
以下、本発明の実施の形態を図面を用いて説明する。図１は、本実施の形態にかかる撮像装置の断面図である。図２は、組み付け後における撮像装置の斜視図である。
【００１１】
図１において、筐体状のケース１は、対向する側面に、それぞれ第１開口１ａと第２開口１ｂとを有する。ケース１内において、第１開口１ａの近傍にシャッタ部材２が配置され、その光軸方向像側（右側）に、鏡枠３Ａにより支持されたレンズ３，３が配置され、更にその光軸方向像側に、第２開口１ｂをカバーするようにして赤外カットフィルタ４が配置されている。鏡枠３Ａは、アクチュエータユニット８によってレンズ３，３の光軸方向に駆動される。
【００１２】
画像処理回路５ａなどを搭載した回路基板５は、図１において左側面に固体撮像素子６を取り付けており、固体撮像素子の受光面は、第２開口１ｂを介して赤外カットフィルタ４に対向している。一方、回路基板５の右側面にコネクタ７を取り付けている。このコネクタ７には、シールドケーブル（不図示）のグランドに接地する端子が設けられている。なお、回路基板５は、プリントパターン上にグランド５ｂを有している。
【００１３】
シールド部材１０は、物体側においてケース１を密着して覆う第１部材１１と、像側においてケース１を密着して覆う第２部材１２とからなる。背面のみが取り払われた筐体状の第１部材１１は、対向する側面にそれぞれ２つずつ形成された小開口１１ａと、第１開口１ａに対応して形成されたレンズ開口１１ｂとを有している。一方、前面のみが取り払われた筐体状の第２部材１２は、対向する側面にそれぞれ２つずつ形成された小開口１２ａと、４つの第１切片１２ｂと、背面（図２で上面）に形成された４つの第２切片１２ｃと、その中央に形成されコネクタ開口１２ｄとを有する。第１切片１２ｂは、第２部材１２の側面に対して略直角となるように折り曲げられており、第２切片１２ｃは、図１に示すように先端が「へ」字状に折り曲げられ、且つ第２部材１２の背面に対して約４５度に角度付けされて形成されている。第１部材１１及び第２部材１２は、プレスにより開口や切片が形成され、且つ折り曲げられることで筐体状にされている。
【００１４】
ケース１は、凹部である小開口１１ａ、１２ａに対応して、側面に凸部である突起１ｃ、１ｄを有している。突起１ｃ、１ｄは、それぞれ奥側に向かうにつれて高くなる斜面と、側面に対して直交する面とを有している。
【００１５】
ケース１の像側より第１部材１１をかぶせて押し込んでゆくと、突起１ｃの斜面に沿って載り上がり、最終的に小開口１１ａに突起１ｃが係合することで、第１部材１１の分離が阻止される。
【００１６】
一方、第２部材１２を取り付ける場合、ケース１の像側に回路基板５を介在させながら、ケース１に対して第２部材１２をかぶせて押し込んでゆくと、突起１ｄの斜面に沿って載り上がり、最終的に小開口１２ａに突起１ｄが係合することで、第２部材１２の分離が阻止される。このとき、第１切片１２ｂが、回路基板５の像側面（図１で右側面）を押圧し、その物体側面（図１で左側面）をケース１の端面に押し当てることで固定される。同時に、第２切片１２ｃが、回路基板５のグランド５ｂに接地し、それによりシールド部材１０のアースがとれるようになっている。なお、第２部材１２の端部は、図１に示すように、第１部材１１の対向端部より寸法が大きくなっていて、組み合わせたときに入れ子状態で端部同士が接触し、それによりシールド部材１０全体のアースがとれるようになっている。又、第１切片１２ｂが当接する回路基板５の領域にグランド５ｂを形成すれば（即ち第２切片を兼ねるようにすれば）、第２切片１２ｂは不要となる。
【００１７】
本実施の形態によれば、シールド部材１０が、ケース１に取り付けられたとき、ケース１に対して回路基板５を固定するための第１切片１２ｂと、回路基板５のグランド５ｂに接地する第２切片１２ｃとを有するので、ねじや半田などを用いることなく、シールド部材１０をケース１に取り付けるのみで、ケース１に対して回路基板５を固定することができ、且つ回路基板５のグランド５ｂへの接地が可能となる。従って、コンパクトで組付性に優れる撮像装置が提供される。
【００１８】
本実施の形態の動作について説明する。レンズ部３，３は、被写体像を、固体撮像素子６の受光面に結像する。撮像素子６は、受光した光の量に応じた電気的信号を画像信号に変換する。変換された画像信号は、画像処理回路５ａにより画像処理された後、コネクタ７に接続されたシールドケーブル（不図示）を介して外部に出力されるようになっている。アクチュエータ８からの電磁波はシールド部材１０によってシールドされ、外部への伝播が防止されることから、本実施の形態の撮像装置は携帯電話などに搭載するのに好適である。
【００１９】
以上、本発明を実施の形態を参照して説明してきたが、本発明は上記実施の形態に限定して解釈されるべきではなく、適宜変更・改良が可能であることはもちろんである。例えば、このような撮像装置は、携帯電話などの携帯端末やデジタルカメラに組み込むことができる。 
【図面の簡単な説明】
【００２０】
【図１】本実施の形態にかかる撮像装置の断面図である。
【図２】組み付け後における撮像装置の斜視図である。
【符号の説明】
【００２１】
１ ケース
１ａ 第１開口
１ｂ 第２開口
１ｃ 突起
１ｄ 突起
２ シャッタ部材
３，３ レンズ
３Ａ 鏡枠
４ 赤外カットフィルタ
５ 回路基板
５ａ 画像処理回路
５ｂ グランド
６ 固体撮像素子
７ コネクタ
８ アクチュエータユニット
１０ シールド部材
１１ 第１部材
１１ａ 小開口
１１ｂ レンズ開口
１２ 第２部材
１２ａ 小開口
１２ｂ 第１切片
１２ｃ 第２切片
１２ｄ コネクタ開口
【図１】
2006101312.tif 000003
【図２】
2006101312.tif 000004